【手続補正書】
【提出日】平成15年10月3日(2003.10.3)
【手続補正１】
【補正対象書類名】明細書
【補正対象項目名】特許請求の範囲
【補正方法】変更
【補正の内容】
【特許請求の範囲】
【請求項１】
球が通過可能な特定領域を内部に備え、所定条件の成立に関連して開放可能である第１の変動入賞装置と、該第１の変動入賞装置が開放することに関連して前記特定領域を球が通過した場合に遊技者に有利な権利状態を発生可能に制御する制御装置と、を備える遊技機において、
前記制御装置は、
前記権利状態が発生した場合に、所定の入賞口への球の入賞に基づき第２の変動入賞装置を開放するサイクル遊技を所定回数を上限に実行可能であり、
前記権利状態中に前記特定領域を球が通過した場合に、新たな権利状態を発生するか、または、実行中の権利状態を無効化するかの抽選を行う抽選手段を備え、
前記抽選手段は、
前記権利状態中に前記特定領域を球が通過する段階での前記サイクル遊技の残数に応じて、新たな権利状態を発生する確率が異なるように抽選を行うことを特徴とする遊技機。
【請求項２】
球が通過可能な特定領域を内部に備え、所定条件の成立に関連して開放可能である第１の変動入賞装置と、該第１の変動入賞装置が開放することに関連して前記特定領域を球が通過した場合に遊技者に有利な権利状態を発生可能に制御する制御装置と、を備える遊技機において、
表示状態を変化可能な変動表示装置を有し、
所定の始動条件の成立に基づき前記変動表示装置にて一連の変動表示を行い、該変動表示の表示結果態様が予め定められた特定の表示結果態様となった場合に、前記第１の変動入賞装置を開放するように成し、
前記制御装置は、
前記権利状態が発生した場合に、所定の入賞口への球の入賞に基づき第２の変動入賞装置を開放するサイクル遊技を所定回数を上限に実行可能であり、
前記権利状態中に前記特定領域を球が通過した場合に、新たな権利状態を発生するか、または、実行中の権利状態を無効化するかの抽選を行う抽選手段を備え、
前記抽選手段は、
前記権利状態中に前記第１の変動入賞装置を開放させる起因となる変動表示の表示結果態様の種類に応じて、該開放に関連して前記特定領域を球が通過した場合に新たな権利状態を発生する確率が異なるように抽選を行うことを特徴とする遊技機。
【手続補正２】
【補正対象書類名】明細書
【補正対象項目名】０００６
【補正方法】変更
【補正の内容】
【０００６】
【課題を解決するための手段】
上記課題を解決するため、
請求項１記載の発明は、球が通過可能な特定領域を内部に備え、所定条件の成立に関連して開放可能である第１の変動入賞装置と、該第１の変動入賞装置が開放することに関連して前記特定領域を球が通過した場合に遊技者に有利な権利状態を発生可能に制御する制御装置と、を備える遊技機において、前記制御装置は、前記権利状態が発生した場合に、所定の入賞口への球の入賞に基づき第２の変動入賞装置を開放するサイクル遊技を所定回数を上限に実行可能であり、前記権利状態中に（前記所定条件が成立することに関連して第１の変動入賞装置が開放することに関連して）前記特定領域を球が通過した場合に、新たな権利状態を発生するか、または、実行中の権利状態を無効化するかの抽選を行う抽選手段を備え、前記抽選手段は、前記権利状態中に前記特定領域を球が通過する段階での前記サイクル遊技の残数に応じて、新たな権利状態を発生する確率が異なるように抽選を行うことを特徴としている。


【手続補正３】
【補正対象書類名】明細書
【補正対象項目名】０００７
【補正方法】変更
【補正の内容】
【０００７】
本発明の遊技機の好適な一例としては、例えば、所定の始動条件（例えば、始動入賞口への球の入賞に基づき成立する）の成立に基づき変動表示装置にて一連の変動表示を行い、該変動表示の表示結果態様が予め定められた特定の表示結果態様となった場合に、第１の変動入賞装置が開放する構成の遊技機（いわゆる第３種のパチンコ遊技機）が挙げられるが、本発明はこれに限らず、例えば、始動入賞口への球の入賞に基づき（変動表示を行わずに）第１の変動入賞装置が開放する構成の遊技機（例えば、クルーンに流入した球が手前側の穴に入賞した場合に変動入賞装置が開放する遊技機）であっても良い。
【手続補正４】
【補正対象書類名】明細書
【補正対象項目名】０００８
【補正方法】変更
【補正の内容】
【０００８】
従来は、権利状態中に特定領域を球が通過した場合、権利状態が無効化されて終了するが、請求項１記載の発明によれば、権利状態中に特定領域を球が通過することに関連して、新たな権利状態を発生するか、または、実行中の権利状態を無効化するかの抽選が行われる。
そして、この抽選の結果、実行中の権利状態を無効化することが決定された場合には、従来と同様に実行中の権利状態が無効化されて終了する一方、新たな権利状態を発生することが決定された場合には、新たに発生した権利状態に基づき新たにサイクル遊技を実行することができるので、遊技者にとって極めて有利となる。
つまり、従来とは異なり、権利状態中に特定領域を球が通過することに関連して、遊技者に有利な状態となる可能性があるため、遊技者は、権利状態の発生後も緊張感を持って遊技ができる。よって、権利状態中の遊技の興趣を高めることができる。
具体的には、例えば、（特定領域に球を通過させて）上記抽選を行う段階でのサイクル遊技の残数が多ければ多いほど、新たな権利状態を発生する確率が高くなるような設定とすることが挙げられる。ただし、権利状態中に特定領域を球が通過する段階でのサイクル遊技の残数と、新たな権利状態を発生する確率との相関はこれに限らず、例えば、サイクル遊技の残数が特定数（例えば、７ラウンド、あるいは、奇数ラウンドなど）の場合に、新たな権利状態を発生する確率が高くなるような設定としても良い。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
特に、権利状態中に特定領域を球が通過する段階でのサイクル遊技の残数と、新たな権利状態を発生する確率との間に相関がある構成となり、より一層遊技の幅が広がる。
例えば、始動入賞口および第１の変動入賞装置を遊技領域の中央部分に設ける一方、第２の変動入賞装置の開放条件を成立させるための所定の入賞口および第２の変動入賞装置は遊技領域の右側部分に設けたパチンコ遊技機の場合、右打ち・中打ちを使い分けることにより、サイクル遊技の残数がいくつの段階で特定領域に球を通過させるかを遊技者の意志に応じて選択することができる。
つまり、この場合、サイクル遊技の残数が所望の数になるまで右打ちした後に中打ちに切り換えることにより、該残数が該所望の数の段階で上記抽選を行うことができる。


【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
請求項２記載の発明は、球が通過可能な特定領域を内部に備え、所定条件の成立に関連して開放可能である第１の変動入賞装置と、該第１の変動入賞装置が開放することに関連して前記特定領域を球が通過した場合に遊技者に有利な権利状態を発生可能に制御する制御装置と、を備える遊技機において、表示状態を変化可能な変動表示装置を有し、所定の始動条件の成立に基づき前記変動表示装置にて一連の変動表示を行い、該変動表示の表示結果態様が予め定められた特定の表示結果態様となった場合に、前記第１の変動入賞装置を開放するように成し、前記制御装置は、前記権利状態が発生した場合に、所定の入賞口への球の入賞に基づき第２の変動入賞装置を開放するサイクル遊技を所定回数を上限に実行可能であり、前記権利状態中に前記特定領域を球が通過した場合に、新たな権利状態を発生するか、または、実行中の権利状態を無効化するかの抽選を行う抽選手段を備え、前記抽選手段は、前記権利状態中に前記第１の変動入賞装置を開放させる起因となる変動表示の表示結果態様の種類に応じて、該開放に関連して前記特定領域を球が通過した場合に新たな権利状態を発生する確率が異なるように抽選を行うことを特徴としている。


【手続補正１６】
【補正対象書類名】明細書
【補正対象項目名】００２０
【補正方法】変更
【補正の内容】
【００２０】
この請求項２記載の発明によれば、通常の遊技中ばかりでなく権利状態中でも変動表示装置の表示結果態様が特定の表示結果態様となることが遊技者の利益に繋がり得るようになる。特に、「権利状態中に第１の変動入賞装置を開放させる起因となる変動表示の表示結果態様の種類」と、新たな権利状態を発生する確率との間に相関がある構成となり、より一層遊技の幅が広がる。
例えば、新たな権利状態を発生する確率が低い表示結果態様が成立した場合には、第１の変動入賞装置に入賞させないよう（特定領域を球が通過しないように）に適宜止め打ちを行い、新たな権利状態を発生する確率が高い表示結果態様が成立した場合には球を発射して第１の変動入賞装置に入賞させる（特定領域に球を通過させる）ような遊技を行うことで、新たな権利状態が発生する確率を高めることができる。


【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００４８
【補正方法】変更
【補正の内容】
【００４８】
他方、第１の変動入賞装置７１０の開放動作により該第１の変動入賞装置７１０に入賞した球が特定領域７１２を通過して特定領域通過センサ７１２ａにより検出されると、権利状態に移行し（権利状態が発生し；図３の右半部の状態となり）、サイクル遊技（後述）を実行可能な状態となる。
なお、第１の変動入賞装置７１０の開閉部材７１１、７１１が開放する際には、貯留部材７１３ｂが手前側に突出した状態となり、第１の変動入賞装置７１０内に入賞する球のうち１個だけを球貯留部７１３に貯留可能となる。球貯留部７１３に１個の球が貯留された後は、第１の変動入賞装置７１０内にさらに球が入賞しても、この球は球貯留部７１３に貯留されず、該球貯留部７１３の左右何れかの脇を流下して非特定領域７１４を通過する。その後、開閉部材７１０ａ、７１０ａが閉じると、貯留部材７１３ｂが引っ込んだ状態に変換し、それまで貯留部材７１３ｂ上に貯留されていた１個の球が流下して特定領域７１２を通過し、権利状態が発生する。


【手続補正２２】
【補正対象書類名】明細書
【補正対象項目名】００５２
【補正方法】変更
【補正の内容】
【００５２】
また、権利状態中に、第１の変動入賞装置７１０が開放することにより特定領域７１２を球が通過した場合には、遊技制御装置２０は、新たな権利状態を発生するか、または、実行中の権利状態を無効化するかの、本発明に係る抽選を行う（ステップＳ１３）。
即ち、権利状態中（サイクル遊技を終える前に）に球が特定領域７１２を通過して特定領域通過センサ７１２ａにより検出されると、該検出信号が遊技制御装置２０のＣＰＵ２１ａに入力される。この検出信号の入力に基づいて、遊技制御装置２０のＣＰＵ２１ａでは、ＲＡＭ２１ｂに記憶されている権利状態発生／無効化判定用乱数値（所定周期で記憶更新されている）を抽出し、該抽出した乱数値と、予めＲＯＭ２１ｃに記憶されている権利状態発生／無効化判定値との比較を行う。つまり、遊技制御装置２０は、本発明の抽選手段として機能する。
また、ＣＰＵ２１ａは、この比較により、新たな権利状態を発生するか、または、実行中の権利状態を無効化するかを決定する。
新たな権利状態を発生することを決定した場合には、ＣＰＵ２１ａは、新たな権利状態を発生させる処理を行って（図３の矢印Ｂ）、上記サイクル遊技を再び上記所定回数（例えば、１６回）を上限に実行可能とする。
他方、抽選の結果、実行中の権利状態を無効化することが決定された場合には、遊技制御装置２０は、実行中の権利状態を無効化する処理を行って（図３の矢印Ｃ）遊技状態を通常状態にする（図３の左半部に移行する）。
なお、抽選の結果、新たな権利状態を発生する確率は、例えば予め所定の値（例えば、毎回の抽選で一律１０％等）に設定されている。


【手続補正２３】
【補正対象書類名】明細書
【補正対象項目名】００７３
【補正方法】変更
【補正の内容】
【００７３】
【発明の効果】
請求項１記載の発明に係る遊技機によれば、権利状態中に特定領域を球が通過することに関連して、新たな権利状態を発生するか、または、実行中の権利状態を無効化するかの抽選が行われので、従来とは異なり、権利状態中に特定領域を球が通過することに関連して、遊技者に有利な状態となる可能性がある。特に、権利状態中に特定領域を球が通過する段階でのサイクル遊技の残数と、新たな権利状態を発生する確率との間に相関がある構成となり、より一層遊技の幅が広がる。よって、権利状態中の遊技の興趣を高めることができる。


【手続補正２４】
【補正対象書類名】明細書
【補正対象項目名】００７４
【補正方法】削除
【補正の内容】
【手続補正２５】
【補正対象書類名】明細書
【補正対象項目名】００７５
【補正方法】削除
【補正の内容】
【手続補正２６】
【補正対象書類名】明細書
【補正対象項目名】００７６
【補正方法】削除
【補正の内容】
【手続補正２７】
【補正対象書類名】明細書
【補正対象項目名】００７７
【補正方法】削除
【補正の内容】
【手続補正２８】
【補正対象書類名】明細書
【補正対象項目名】００７８
【補正方法】変更
【補正の内容】
【００７８】
請求項２記載の発明に係る遊技機によれば、従来とは異なり、通常の遊技中ばかりでなく権利状態中でも変動表示装置の表示結果態様が特定の表示結果態様となることが遊技者の利益に繋がり得るようになる。特に、「権利状態中に第１の変動入賞装置を開放させる起因となる変動表示の表示結果態様の種類」と、新たな権利状態を発生する確率との間に相関がある構成となり、より一層遊技の幅が広がる。


【手続補正２９】
【補正対象書類名】明細書
【補正対象項目名】００７９
【補正方法】削除
【補正の内容】
【手続補正３０】
【補正対象書類名】明細書
【補正対象項目名】００８０
【補正方法】削除
【補正の内容】